(57)【要約】      （修正有）【課題】一人の作業者のみで杭打ちを開始できること、杭に欠け落ちや割れなどの打ち傷を生じないこと、打ち損じによる補助作業者の負傷を避けられることなど、杭打ち作業を能率よく、安全に行える軽量杭打ち具を提供する。【解決手段】直径３０〜８０ｍｍの金属製直管状のパイプ１と、パイプ１の外面に固定して中心パイプ１に横並びにした一対のパイプ状ハンドル棒２と、直管状のパイプ１の頭頂部３にハンマー用塊を持つ平坦な打撃面を有して、もう一方パイプ１を開口にして杭を挿入できるようにして、全体重量として４ｋｇ以下にしている軽量杭打ち具である。【選択図】図１
0003199727.tif 000002
【実用新案登録請求の範囲】
【請求項１】
直径３０〜８０ｍｍの金属製、又は樹脂製の直管状直管状のパイプと、前記パイプの外面に固定して直列した一対のパイプ状ハンドル棒と、頭頂部にハンマー用塊を持つ平坦な打撃面を有して、もう一方パイプを開口にして杭を挿入できるようにして、全体重量として４ｋｇ以下にしていることを特徴とする軽量杭打ち具。
【請求項２】
前記の直管状直管状のパイプ、およびパイプ状ハンドル棒のそれぞれが鋼管，又は樹脂製管で形成されており、金属製、又は樹脂製の直管状のパイプの長さを３００〜６００ｍｍで、パイプ状ハンドル棒を１５〜３０ｍｍφ径、２５０〜５００ｍｍの長さで、中心の金属製、又は樹脂製の直管状パイプから５０〜１００ｍｍに離して固定されており、１〜２本のパイプの取り付けを中心の金属製、又は樹脂製の直管状パイプに対して直列的、または１６０〜１８０°の角度を持たせていることを特徴とする請求項１記載の軽量杭打ち具。
【請求項３】
金属製、又は樹脂製の直管状パイプの頭頂部にハンマー用重量用塊を持つ平坦な打撃面は、鋼材で形成した厚さ５〜２０ｍｍ平坦な円盤であって、金属製、又は樹脂製の直管状パイプの頭頂部に固定されており、打撃面を衝撃的緩和させるためのゴム盤を円筒打撃パイプの上部の内部に取り付けていることを特徴とする請求項１、又は請求項２に記載の軽量杭打ち具。
【請求項４】
全体重量を４ｋｇ以下にするために、金属製、又は樹脂製の直管状パイプの厚さを１〜３ｍｍの、薄厚のパイプにして、強度を増大するために固定板を厚さ２〜７ｍｍ、幅１５〜３０ｍｍの平板を使用して接続固定していることを特徴とする請求項１〜請求項３のいずれかに記載の軽量杭打ち具。
【請求項５】
金属製直管状パイプの下端開口に、杭等の傷付きを防ぐゴム、又は樹脂の保護リングを装着してあることを特徴とする請求項１〜請求項４のいずれかに記載の軽量杭打ち具。
【考案の詳細な説明】
【技術分野】
【０００１】この考案は、農業用、または家庭菜園用の長さ１〜２ｍ前後の長尺の杭を地面に打ち込むのに適した軽量杭打ち具に関する。
【背景技術】
【０００２】杭打ち具としては、伝統的な打撃工具である掛け矢が広く使用されている。掛け矢は、柄の先端に太鼓形の打撃頭部を固定した、ハンマ−型の打撃工具であり、打撃頭部が硬木で形成してある。【０００３】杭の長さが長い場合において、手動式杭打ち器を杭上部に設置し、取り外す作業の効率性並びに安全性の向上を図る手動式杭打ち器を提供するために、杭に嵌挿させると共に嵌挿時に杭の頭部が衝止する天井部を備えた上下に長い直管状の筒状本体を少なくとも備えた手動式杭打ち器において、筒状本体の上下方向に沿って下端を含む切欠き部であって、切欠き部の長さが筒状本体の上下の長さの１／２以上で、かつ、切欠き部の幅が筒状本体の内径の１／３以上の特徴を備えるものである。手動式杭打ち器の筒状本体の切欠き部を開口部として、杭の上部を含む杭本体の上部を手動式杭打ち器の筒状本体の側面から嵌め込めることから、作業員の身長よりも長い杭の場合でも、杭を地面に立てた状態で、脚立等を用いずに、手動式杭打ち器を効率よく安全に杭上部に嵌め込み、また取り外すことができるものを提案された（特許文献１参照）。【０００４】長尺・短尺の杭を楽な姿勢で正確に打込む杭打ち器を提供するために、重量パイプの中に長尺・短尺杭に対処して深さの違う位置に仕切板を固定し、外部に取手をつけた両キャップ式手働杭打ち器が提案された（特許文献２参照）。【０００５】杭の頭部を壊すことなく、杭を真直ぐに、簡単、迅速、且つ楽に打つことができ、又長い杭の場合でも踏み台を必要とすることなく、杭を設置できるようにするために、杭に嵌挿させると共に、嵌挿時に杭の頭部が衝止する天井部を備えた金属製の本体に、この本体部を上下操作するための把手と、この本体部の荷重を増大させるための重り部とを形成して、上記の把手を本体部の左右位置に本体部の長手方向に沿って、上記の重り部を本体部と同心状に形成するものが提案されている（特許文献３参照）。【０００６】一人の作業者のみで杭打ちを開始できること、杭に欠け落ちや割れなどの打ち傷を生じないこと、打ち損じによる補助作業者の負傷を避けられることなど、杭打ち作業を能率よく、安全に行える杭打ち具が提供されている（特許文献４参照）。【０００７】杭の打設作業における手指を打撃するという危険性を排除し、簡単に打設し得る杭打ち具を提供するために、杭を打設位置に立てた状態で保持したのち杭打ち具のガイド部の通路内に杭の頭部を差し込むように装着して、この状態において杭打ち具を持ち上げ打撃ヘッドにより杭に打撃力を付与し所要の深さまで杭の打設を行う工具が提案されている（特許文献５参照）。
【先行技術文献】
【特許文献】
【０００８】
【特許文献１】特開２０１１−２２００７８号公報
【特許文献２】特開２００２−３６３９８５号公報
【特許文献３】特開平１１−２９３６７３号公報
【特許文献４】実開平７−２５０３６号公報
【特許文献５】実用新案登録第３０８７５２１号公報
【考案の概要】
【考案が解決しようとする課題】
【０００９】農場、家庭菜園、工事現場などで、掛け矢で杭打ちを行う場合、とくに１００ｃｍ以上の長尺の杭を打込む場合には、掛け矢を振う作業者とは別に、杭を立姿勢で支え持つための補助作業者が不可欠であり、余分な人手を要すること、掛け矢の打ち損じによって、補助作業者を負傷させるおそれがあること、などの不利を避けられない。杭の打込みにはある程度の熟練が要求され、杭の上端が欠け落ちたり、割れたりする。杭を傾いた状態のままで打込み、あるいは打ち込み後の杭高さが不揃いになるなどの施工不良も生じやすい。【００１０】杭打ちの際に、杭に浸み込ませた防腐剤や防虫剤が、打撃力を受けて杭の周辺に飛散し作業者の皮膚に付着する不具合がある。掛け矢を振えない狭い場所では、杭打ち作業が困難になる不利もある。この考案の目的は、単独の作業者のみでも長尺の杭を打ち込むことができ、しかも、欠け落ちや割れなどの打ち傷を生じることなく杭打ちを行うことができる軽量杭打ち具を提供することにある。この考案の他の目的は、打ち損じによる負傷や、杭打ち時に飛散する防腐剤などの薬物による障害を防止でき、作業時の安全性に優れ、狭い場所でも支障なく杭打ちを行うことができる軽量杭打ち具を、提供することにある。【００１１】農場、家庭菜園、工事現場などで、杭の再使用が長期間にわたって可能になるよう、又杭打ち作業の手間暇を軽減化できるよう、杭の頭部を壊すことなく、真直ぐに、簡単且つ迅速に打ち込むことが可能になるよう形成されているのが望ましい。しかるに従来のハンマーの場合は回転運動で打撃するため、打ち降ろす向きが狂うと、杭を曲げて打ち込んだり、空振りして地面を打ったり、或は杭の頭部にハンマーの柄が当たって柄を壊したりすることがあった。【００１２】又従来品の場合は、上記の通り回転運動で杭を打つため、例えば長い杭のときは杭の頭部よりスイングする支点が低いと打つことができなかった。その結果従来品を使用すると、この種の長い杭の場合は踏み台などを伴う煩わしさがあり、杭打ち作業が不便で、簡単、容易、迅速に杭を打つことができないという問題点があった。【００１３】本考案は、このような従来品の問題点を解消しようとするものである。従って技術的課題は、農場、家庭菜園、工事現場などで杭の頭部を壊すことなく、杭を真直ぐに、簡単、迅速且つ楽に打つことができ、又長い杭の場合でも踏み台を必要とすることなく打つことができるように形成した手動式の軽量杭打ち器を提供することにある。
【課題を解決するための手段】
【００１４】直径３０〜８０ｍｍの金属製、又は樹脂製の直管状直管状のパイプと、前記パイプの外面に固定して直交した一対のパイプ状ハンドル棒と、頭頂部にハンマー用塊を持つ平坦な打撃面を有して、もう一方パイプを開口にして杭を挿入できるようにして、全体重量として４ｋｇ以下にしている軽量杭打ち具である。
好ましく３ｋｇ以下である。【００１５】前記の直管状直管状のパイプ、およびパイプ状ハンドル棒のそれぞれが鋼管，又は樹脂製管で形成されており、金属製、又は樹脂製の直管状のパイプの長さを３００〜５００ｍｍで、パイプ状ハンドル棒を１５〜３０ｍｍφ径、２５０〜４５０ｍｍの長さで、中心の金属製、又は樹脂製の直管状パイプから５０〜１００ｍｍの距離に固定されており、２本のパイプの取り付けを中心の金属製、又は樹脂製の直管状パイプに対して直列的、または１６０〜１８０°の角度にしている。【００１６】金属製、又は樹脂製の直管状パイプの頭頂部にハンマー用重量用塊を持つ平坦な打撃面は、鋼材で形成した厚さ５〜２０ｍｍ平坦な円盤であって、金属製、又は樹脂製の直管状パイプの頭頂部に固定されており、打撃面の位置を表示する杭高表示とともに、衝撃的緩和としてゴム盤を円筒パイプの上部の内部に設けてある。【００１７】全体重量を４ｋｇ以下にするために、金属製、又は樹脂製の直管状パイプの厚さを１〜３ｍｍの、薄厚のパイプにして、強度を増大するために固定板を厚さ２〜７ｍｍ、幅１５〜３０ｍｍの平板を使用して接続固定している。金属製直管状パイプの下端開口に、杭等の傷付きを防ぐゴム、又は樹脂の保護リングを装着してある。【００１８】上記の実施例外に、金属製直管状パイプは多角形状の筒体や楕円形の筒体で形成することができる。打撃面にねじで固定し、あるいは溶接とねじによる締結作用を併用して固定することができる。補助ウエイトをリング状に形成し、これを金属製直管状パイプの下部外面に着脱自在にねじ込んで装着することができる。
【考案の効果】
【００１９】この考案の軽量杭打ち具によれば、杭打ち具の全体を打ち降ろし操作して杭打ちを行うので、単独の作業者のみでも長尺の杭の打ち込みを開始できる。杭が自立した後は、金属製直管状パイプを杭で移動案内して、位置ずれや打撃面の傾きを伴うことなく、打撃面を杭の上端面に常に適正に打ち付けることができるので、杭の上縁の一部が欠け落ちたり、割れるなどの打ち傷の発生を解消できる。従って、掛け矢を用いた従来の杭打ち作業に比べて、杭打ち作業を少ない労力で、作業不良のない状態の許に施工でき、全体として施工に要す費用を減少できる。【００２０】農場、家庭菜園、工事現場などで補助作業者と共同して杭打ち作業を行う場合であっても、打ち損じによって補助作業者を負傷させることがなく、さらに、打ちこみ衝撃で杭から飛散する薬物をハンマ−筒で遮ることができるので、杭打ち作業を安全に行うことができる。樹木や建物などに隣接して杭打ちを行うような場合でも、周囲に障害物がない場所で杭打ちを行うのと同様に、何の障害もなく確実に杭打ちを行える。【００２１】農場、家庭菜園、工事現場などで打撃面の位置に相当する杭高表示を設けた杭打ち具によれば、杭打ち具を杭に外嵌した状態のままで、杭の打ちこみ高さを確認できるので、杭が過剰に打ち込まれることを良く防止できる。軽量にしているために、作業者の体力や地面の硬さなどに応じて杭打ち具の重量を調整することができ、体力の無駄な消耗を防いで、合理的に杭打ち作業を行える点で有利である。
【図面の簡単な説明】
【００２２】
【図１】軽量杭打ち具の全体の斜視図
【図２】金属製直管状のパイプ、およびパイプ状ハンドル棒の構造平面図  Ａ：正面図  Ｂ：断面図  Ｃ：緩衝材
【図３】頭頂部にハンマー用塊を持つ平坦な打撃面の図
【図４】軽量杭打ち具の使用している状態図  Ａ：使用前  Ｂ：使用後
【考案を実施するための形態】
【００２３】図１は、軽量杭打ち具の全体斜視図、図２は、金属製直管状のパイプ、およびパイプ状ハンドル棒の図、図３は頭頂部にハンマー用塊を持つ平坦な打撃面の図、図４は軽量杭打ち具の使用図を示し、具体的に実施例で説明する。
【実施例１】
【００２４】直径５０ｍｍφの金属製直管状のパイプと、前記パイプの外面に固定して直列した一対のパイプ状ハンドル棒と、頭頂部にハンマー用塊を持つ平坦な打撃面を有して、もう一方パイプを開口にして杭を挿入できるようにして、全体重量として３ｋｇにした。【００２５】金属製直管状のパイプ、およびパイプ状ハンドル棒のそれぞれが鋼管で形成されており、金属製直管状のパイプの長さを４５０ｍｍで、パイプ状ハンドル棒を２１ｍｍφ径、４２０ｍｍの長さで、中心の金属製直管状パイプから５０ｍｍの距離に固定されており、２本のパイプの取り付けを中心の金属製直管状パイプに対して直列的にした。【００２６】金属製直管状パイプの頭頂部にハンマー用塊を持つ平坦な打撃面は、鋼材で形成した厚さ８ｍｍ平坦な円盤であって、金属製直管状パイプの頭頂部とに溶接固定されており、打撃面の位置を表示する杭高表示を円筒パイプの上部外面に設けた。全体重量を３ｋｇ以下にするために、パイプの厚さを２ｍｍにして、薄厚のパイプにして、強度を増大するために固定板を厚さ３ｍｍ、幅１５ｍｍの平板を使用して溶接した。金属製直管状パイプの下端開口に、杭等の傷付きを防ぐゴム、又は樹脂の保護リングを装着した。
【実施例２】
【００２７】直径６０ｍｍの金属製直管状のパイプと、前記パイプの外面に固定して直交した一対のパイプ状ハンドル棒と、頭頂部にハンマー用塊を持つ平坦な打撃面を有して、もう一方パイプを開口にして杭を挿入できるようにして、全体重量として３．５ｋｇにした。【００２８】金属製直管状のパイプ、およびパイプ状ハンドル棒のそれぞれが鋼管で形成されており、金属製直管状のパイプの長さを５００ｍｍで、パイプ状ハンドル棒を２０ｍｍφ径、４５０ｍｍの長さで、中心の金属製直管状パイプから７０ｍｍの距離に離して固定されており、２本のパイプの取り付けを中心の金属製直管状パイプに対して１８０°の角度にした。【００２９】金属製直管状パイプの頭頂部にハンマー用塊を持つ平坦な打撃面は、鋼材で形成した厚さ１０ｍｍ平坦な円盤であって、金属製直管状パイプの頭頂部に溶接固定されており、打撃面の位置を表示する杭高表示を円筒パイプの上部外面に設けた。全体重量を４ｋｇ以下にするために、パイプの厚さを２ｍｍにして、薄厚のパイプにして、強度を増大するために固定板を厚さ２ｍｍ、幅３０ｍｍの平板を使用して溶接接続にした。金属製直管状パイプの下端開口に、杭等の傷付きを防ぐゴムの保護リングを装着した。
【実施例３】
【００３０】直径３５ｍｍの金属製直管状のパイプと、前記パイプの外面に固定して直交した一対のパイプ状ハンドル棒と、頭頂部にハンマー用塊を持つ平坦な打撃面を有して、もう一方パイプを開口にして杭を挿入できるようにして、全体重量として２．５ｋｇにした。【００３１】金属製直管状のパイプ、およびパイプ状ハンドル棒のそれぞれが鋼管で形成されており、金属製直管状のパイプの長さを３５０ｍｍで、パイプ状ハンドル棒を１５ｍｍφ径、３００ｍｍの長さで、中心の金属製直管状パイプから５０ｍｍの距離に離して固定されており、３本のパイプの取り付けを中心の金属製直管状パイプに対して直線的にした。【００３２】金属製直管状パイプの頭頂部にハンマー用塊を持つ平坦な打撃面は、鋼材で形成した厚さ５ｍｍ平坦な円盤であって、金属製直管状パイプの頭頂部に溶接固定されており、円筒パイプの上部外面に設けた。全体重量を２．５ｋｇにするために、パイプの厚さを１〜３ｍｍにして、薄厚のパイプにして、強度を増大するために固定板を厚さ２ｍｍ、幅１５ｍｍの平板を使用して溶接接続にした。金属製直管状パイプの下端開口に、杭等の傷付きを防ぐゴムの保護リングを装着した。
【符号の説明】
【００３３】１．直管状のパイプ
２．ハンドル棒
３．頭頂部
４．ハンマー用塊
５．打撃面
６．固定板
７．緩衝ゴム盤
８．手
９．杭棒
１０．軽量杭打ち具
１１．錘
１２．土地
１３．腕
【図１】
0003199727.tif 000003
【図２】
0003199727.tif 000004
【図３】
0003199727.tif 000005
【図４】
0003199727.tif 000006
【手続補正書】
【提出日】平成27年6月18日(2015.6.18)
【手続補正１】
【補正対象書類名】実用新案登録請求の範囲
【補正対象項目名】全文
【補正方法】変更
【補正の内容】
【実用新案登録請求の範囲】
【請求項１】
直径３０〜８０ｍｍの金属製、又は樹脂製の直管状のパイプと、前記パイプの外面に固定して中心パイプに横並びにした一対のパイプ状ハンドル棒と、直管状のパイプの頭頂部にハンマー打撃用塊盤を持つ平坦な面を有して、前記直管状パイプの反対側を開口にして使用する杭の先端部を挿入できるようにして、全体重量として４ｋｇ以下にしていることを特徴とする軽量杭打ち具。
【請求項２】
前記の直管状のパイプ、およびパイプ状ハンドル棒のそれぞれが鋼管，又は樹脂製管で形成されており、金属製、又は樹脂製の直管状のパイプの長さを３００〜６００ｍｍで、パイプ状ハンドル棒を１５〜３０ｍｍφ径、２５０〜５００ｍｍの長さで、中心の金属製、又は樹脂製の直管状パイプから５０〜１００ｍｍに離して固定されており、１〜２本のパイプの取り付けを中心の金属製、又は樹脂製の直管状パイプに対して横並びで直線的に、または１６０〜１８０°の角度を持たせた並列にしていることを特徴とする請求項１記載の軽量杭打ち具。
【請求項３】
金属製、又は樹脂製の直管状パイプの頭頂部にハンマー用重量用塊を持つ平坦な打撃面は、鋼材で形成した厚さ５〜２０ｍｍ平坦な円盤であって、金属製、又は樹脂製の直管状パイプの頭頂部に固定されており、打撃面を衝撃的緩和させるためのゴム盤を円筒打撃パイプの上部の内部に取り付けていることを特徴とする請求項１、又は請求項２に記載の軽量杭打ち具。
【請求項４】
全体重量を４ｋｇ以下にするために、金属製、又は樹脂製の直管状パイプの厚さを１〜３ｍｍの薄厚のパイプにして、強度を増大するために打撃用塊盤を持つ平坦な面板の厚さ２〜７ｍｍ、直径１５〜３０ｍｍの平板を使用して、直管状パイプの頭頂部で接合固定していることを特徴とする請求項１〜請求項３のいずれかに記載の軽量杭打ち具。
【請求項５】
金属製直管状パイプの下端開口に、杭等の傷付きを防ぐゴム、又は樹脂の保護リングを装着してあることを特徴とする請求項１〜請求項４のいずれかに記載の軽量杭打ち具。